(57)【要約】
【課題】多数のタイルを纏めて荷造りし搬送する際に極めて有用であり、反復して使用可能でリサイクルおよび廃棄物の減少に寄与することができるタイル搬送用トレイを提供する。
【解決手段】本考案のタイル搬送用トレイ１は、タイル積載体３０の上下面をそれぞれ被覆し、タイル積載体３０を挟持するように配置して使用され樹脂材料にて形成されている。梱包に際しては、タイル搬送用トレイ１の上方にタイル積載体３０を載置し、その上方にもう一枚のタイル搬送用トレイ１を載置してバンドで緊縛するのみで梱包が完了する。樹脂材料にて形成されているため、搬送後は回収して繰り返し使用することができる。
【選択図】図５
0003101396.tif 000002
【実用新案登録請求の範囲】
【請求項１】
タイル積載体の上下面をそれぞれ被覆し、前記タイル積載体を挟持するように配置して使用され、樹脂材料にて形成されていることを特徴とするタイル搬送用トレイ。
【請求項２】
前記タイル搬送用トレイは、裏面側の端辺部が下方に向かって延出し凹状に形成されている請求項１に記載のタイル搬送用トレイ。
【請求項３】
前記タイル搬送用トレイは、表面側同士を当接させた際に係合し前記タイル積載体同士の積載状態を保持する積載保持用凸部と、該積載保持用凸部に係合する積載保持用凹部とを表面側に有している請求項１または２に記載のタイル搬送用トレイ。
【請求項４】
前記タイル搬送用トレイは、前記タイル積載体、該タイル積載体の上面側に配された前記タイル搬送用トレイおよび前記タイル積載体の下面側に配された前記タイル搬送用トレイを一体的に堅縛するバンドが横断可能なバンド横断用凹条部を表面側に有している請求項１ないし３のいずれかに記載のタイル搬送用トレイ。
【請求項５】
前記タイル搬送用トレイは、表面側同士を当接させた際に、面当接する面当接部を表面側の周辺部に有している請求項１ないし４のいずれかに記載のタイル搬送用トレイ。
【請求項６】
前記タイル搬送用トレイは、表面側の周辺部に、前記タイル積載体、該タイル積載体の上面側に配された前記タイル搬送用トレイおよび前記タイル積載体の下面側に配された前記タイル搬送用トレイが一体的に梱包された梱包体を把持するための把持用凹部を有している請求項１ないし５のいずれかに記載のタイル搬送用トレイ。
【請求項７】
前記タイル搬送用トレイは、挟持した前記タイル積載体のタイル表面を目視可能とする貫通穴を有している請求項１ないし６のいずれかに記載のタイル搬送用トレイ。
【考案の詳細な説明】
【技術分野】
【０００１】
本考案は、タイルを荷造りして搬送する際に使用して好適なタイル搬送用トレイに関するものである。
【背景技術】
【０００２】
従来、タイルを荷造りして搬送する場合、梱包用ダンボール箱内に多数のタイルを重ねて収納し搬送していた。
【０００３】
しかし、このような搬送方法では、大量の梱包用ダンボール箱を必要とすると共に、使用済みの梱包用ダンボール箱は、基本的に廃棄処分されていた。
【考案の開示】
【考案が解決しようとする課題】
【０００４】
ところで、近年、有限な資源はリサイクルすると共に、環境上廃棄物を極力減少させるために、製品の搬送には通い箱等、反復して使用可能な梱包手段が用いられる傾向にある。
本願考案者は、そのような観点から、タイル搬送に有用なタイル搬送用トレイを想起し本考案を完成するに至った。すなわち、本考案の課題は、多数のタイルを纏めて荷造りし搬送する際に極めて有用であり、反復して使用可能でリサイクルおよび廃棄物の減少に寄与することができるタイル搬送用トレイを提供することにある。
【課題を解決するための手段】
【０００５】
上記課題を解決するものは、タイル積載体の上下面をそれぞれ被覆し、前記タイル積載体を挟持するように配置して使用され、樹脂材料にて形成されていることを特徴とするタイル搬送用トレイである。
【０００６】
前記タイル搬送用トレイは、裏面側の端辺部が下方に向かって延出し凹状に形成されていることが好ましい。前記タイル搬送用トレイは、表面側同士を当接させた際に係合し前記タイル積載体同士の積載状態を保持する積載保持用凸部と、該積載保持用凸部に係合する積載保持用凹部とを表面側に有していることが好ましい。前記タイル搬送用トレイは、前記タイル積載体、該タイル積載体の上面側に配された前記タイル搬送用トレイおよび前記タイル積載体の下面側に配された前記タイル搬送用トレイを一体的に堅縛するバンドが横断可能なバンド横断用凹条部を表面側に有していることが好ましい。前記タイル搬送用トレイは、表面側同士を当接させた際に、面当接する面当接部を表面側の周辺部に有していることが好ましい。前記タイル搬送用トレイは、表面側の周辺部に、前記タイル積載体、該タイル積載体の上面側に配された前記タイル搬送用トレイおよび前記タイル積載体の下面側に配された前記タイル搬送用トレイが一体的に梱包された梱包体を把持するための把持用凹部を有していることが好ましい。前記タイル搬送用トレイは、挟持した前記タイル積載体のタイル表面を目視可能とする貫通穴を有していることが好ましい。
【考案の効果】
【０００７】
請求項１に記載の考案によれば、多数のタイルを纏めて荷造りし搬送する際に極めて有用であり、反復して使用可能でリサイクルおよび廃棄物の減少に寄与することができる。
請求項２に記載の考案によれば、タイル積載体を構成するタイルのうち、上部付近および下部付近に位置するタイル群を被包して保護することができ、特にそれら付近に位置するタイル群の角部付近を保護することができる。
請求項３に記載の考案によれば、タイル積載体を複数積載した場合に、積載保持用凸部と積載保持用凹部との係合により、上方に積載したタイル積載体の水平方向の移動が抑止されるため、複数のタイル積載体を多数積載できる。
請求項４に記載の考案によれば、タイル積載体、タイル積載体の上面側に配されたタイル搬送用トレイおよびタイル積載体の下面側に配されたタイル搬送用トレイを一体的に堅縛するバンドが位置づれしたり、取れてしまうことがなく、強固に一体化された梱包体を構成することができる。
請求項５に記載の考案によれば、タイル積載体を複数積載する場合に、周辺部に設けられた面当接部同士が面当接するため、積載状態がより安定したものとなる。
請求項６に記載の考案によれば、梱包体を持ち上げる際に把持用凹部に指を挿入することができ、梱包体の取り扱いがより容易となる。
請求項７に記載の考案によれば、梱包体を構成した状態でも、タイル積載体のタイルの色彩、模様等種類を目視により判別できる。
【考案を実施するための最良の形態】
【０００８】
本考案のタイル搬送用トレイ１は、タイル積載体３０の上下面をそれぞれ被覆し、タイル積載体３０を挟持するように配置して使用され、樹脂材料にて形成されている。
【実施例１】
【０００９】
図１は本考案のタイル搬送用トレイの一実施例の平面図であり、図２は図１に示したタイル搬送用トレイの右側面図であり、図３は図１のＡ−Ａ線断面図であり、図４は図１に示したタイル搬送用トレイの裏面図であり、図５は図１に示したタイル搬送用トレイの使用状態を示した斜視図であり、図６は図５に示した梱包体を積載した状態を示した正面図であり、図７は図６に示した梱包体の積層物を中央付近で切断した状態を示す縦断面図であり、図８は図１に示したタイル搬送用トレイを回収用ボックスに収納した状態を示した斜視図である。以下、各構成について図面に示した実施例を用いて詳述する。
【００１０】
この実施例のタイル搬送用トレイ１は、図１に示すように、平面視矩形に形成されており、図５に示すように、タイル搬送用トレイ１の上方にタイル積載体３０を載置し、タイル積載体３０の上方にもう一枚のタイル搬送用トレイ１を載置してバンド３１で緊縛して使用するものである。
【００１１】
タイル搬送用トレイ１の平面形状は矩形に限定されず、梱包するタイルの形状に応じてどのような形状のものでよい。また、タイル積載体３０の下方に配されるタイル搬送用トレイ１は、裏面２側を上方に向けてその上にタイル積載体３０を載置し、タイル積載体３０の上方に配されるタイル搬送用トレイ１は、裏面２側を下方に向けて配する。すなわち、梱包体４０の外面側には、タイル搬送用トレイ１の表面４側が現れるようにして配する。
【００１２】
そして、タイル搬送用トレイ１は樹脂材料にて形成されているため、必要な強度を有するものを適宜選択使用することができ、成形容易であると共に軽量なトレイを形成できる。また、タイル搬送後は、図８に示すように、回収箱５０内にタイル搬送用トレイ１を纏めて積載して収納し、回収して繰り返し使用することができる。
【００１３】
なお、タイル積載体３０の四方には、図５に示すように、横断面略Ｌ字型の角部保護部材３２が装着されていることが好ましく、これにより、搬送中、タイルの角部が衝撃等を受けても、この角部保護部材３２が緩衝材として機能するため、タイルの角部が欠損することが防止される。
【００１４】
タイル搬送用トレイ１は、図３に示すように、裏面２側の端辺部３が下方（図３中右方向）に向かって延出し、このような端辺部３が四方に設けられて凹状に形成されている。これにより、タイル積載体３０を構成するタイルのうち、上部付近および下部付近に位置するタイル群を被包して保護することができると共に、タイル搬送用トレイ１の水平方向への位置づれを防止できる。
【００１５】
また、タイル搬送用トレイ１は、図１に示すように、表面４側同士を当接させた際に係合しタイル積載体３０同士の積載状態を保持する積載保持用凸部５と、積載保持用凸部５に係合する積載保持用凹部６とを有している。これにより、タイル積載体３０を複数積載した場合に、積載保持用凸部５と積載保持用凹部６とが係合し、上方に積載したタイル積載体３０の水平方向の移動が抑止されるため、複数のタイル積載体３０を多数積載できる。
【００１６】
具体的には、この実施例の積載保持用凸部５は、図５に示すように、表面４の四方にそれぞれ配され、表面４のうち最高面を備えた凸条体５であり、積載保持用凹部６は、図１に示すように、積載保持用凸部５付近のそれぞれ設けられ、表面４のうち最低面を備えた凹部である。なお、この実施例の積載保持用凹部６は、特に区画された凹部ではなく、２枚のタイル搬送用トレイ１の表面４側同士を当接させた際に、上方の積載保持用凸部５が当接する部位に設けられている。
【００１７】
このように、積載保持用凸部５と積載保持用凹部６とが設けられていると、図７に示すように、梱包体４０Ａ，４０Ｂの積載部付近において、下方に位置するタイル搬送用トレイ１Ａに対しては、上方に位置するタイル搬送用トレイ１Ｂの積載保持用凸部５Ｂが下方に位置するタイル搬送用トレイ１Ａの最低面（積載保持用凹部６）に当接し、上方に位置するタイル搬送用トレイ１Ｂに対しては、下方に位置するタイル搬送用トレイ１Ａの積載保持用凸部５Ａが上方に位置するタイル搬送用トレイ１Ｂの最低面（積載保持用凹部６）に当接し、これらが四方にそれぞれ配されているため、四方のいずれの水平方向に対しても、上方のタイル搬送用トレイ１Ｂの移動が係止されるため、梱包体４０を複数積載しても、梱包体４０が落下することがない。
【００１８】
さらに、タイル搬送用トレイ１は、図１または図２に示すように、タイル積載体３０、タイル積載体３０の上面側に配されたタイル搬送用トレイ１およびタイル積載体３０の下面側に配されたタイル搬送用トレイ１を一体的に堅縛するバンド３１が横断可能なバンド横断用凹条部７を表面４側に有している。これにより、タイル積載体３０、タイル積載体３０の上面側に配されたタイル搬送用トレイ１およびタイル積載体３０の下面側に配されたタイル搬送用トレイ１を一体的に堅縛するバンド３１が位置づれしたり、取れてしまうことがなく、強固に一体化された梱包体４０を構成することができる。
【００１９】
具体的には、この実施例のバンド横断用凹条部７は、バンド３１が表面４の中央付近にて交差するように横断させるための凹部７Ａと、タイル搬送用トレイ１の長手方向の両端付近においてバンド３１を横断させるための凹条部７Ｂとから構成されている。そして、梱包体４０を構成する場合は、図５のように、バンド３１を堅縛できるように構成されている。
【００２０】
さらに、タイル搬送用トレイ１は、図１または図に示すように、表面４側同士を当接させた際に、面当接する面当接部８を表面４側の周辺部に有している。これにより、タイル積載体３０を複数積載する場合に、周辺部に設けられた面当接部８同士が面当接するため、積載状態がより安定したものとなる。
【００２１】
より具体的には、この実施例の面当接部８は、図１に示すように、表面４側の周辺部の四方にそれぞれ配された略Ｌ字型の凸部と、それらの外方に配された凸条部とから構成されている。これらの面当接部８は、前述した積載保持用凸部５の略半分の高さを有する中高面を備えており、図６に示すように、梱包体４０Ａ，４０Ｂを積載すると、タイル搬送用トレイ１Ａ，１Ｂの周辺部付近に設けられた面当接部８がすべて面当接して、積載状態をより安定したものとする。
【００２２】
さらに、タイル搬送用トレイ１は、図１および２に示すように、表面４側の周辺部に、タイル積載体３０、タイル積載体３０の上面側に配されたタイル搬送用トレイ１およびタイル積載体３０の下面側に配されたタイル搬送用トレイ１が一体的に梱包された梱包体４０を把持するための把持用凹部９を有している。これにより、梱包体４０を持ち上げる際に把持用凹部９に指を挿入することができ、梱包体４０の取り扱いがより容易となる。
【００２３】
具体的には、把持用凹部９は、図１に示すように、四方の端辺の中央付近にそれぞれ設けられ、端辺に沿って、梱包体４０を把持する際に４本の指が入る程度の幅で、かつ、表面４の最低面と同一レベルの凹部に形成されている。そして、図６に示すように、梱包体４０Ａ，４０Ｂの積載間においても、梱包体４０Ａの下方においても、前述した積載保持用凸部５の高さ分で、かつ、指４本分の幅分の空間が形成されるため、梱包体４０の取り扱いがより容易となる。
【００２４】
さらに、タイル搬送用トレイ１は、図１または図４に示すように、挟持したタイル積載体３０のタイル表面を目視可能とする貫通穴１０を有している。これにより、梱包体４０を構成した状態でも、タイル積載体３０のタイルの種類を目視により判別できる。
【００２５】
具体的には、この実施例の貫通穴１０は、前述した積載保持用凸部５の形状に対応した形状の４つの貫通穴と、楕円に形成された３つの貫通穴から構成されている。さらに、この実施例のタイル搬送用トレイ１の表面４には、図１または図５に示すように、ラベル貼付部１１が設けられており、この部位にタイルの色彩、模様等種類を記載した荷札等ラベルを貼付することができるように構成されている。
【図面の簡単な説明】
【００２６】
【図１】本考案のタイル搬送用トレイの一実施例の平面図である。
【図２】図１に示したタイル搬送用トレイの右側面図である。
【図３】図１のＡ−Ａ線断面図である。
【図４】図１に示したタイル搬送用トレイの裏面図である。
【図５】図１に示したタイル搬送用トレイの使用状態を示した斜視図である。
【図６】図５に示した梱包体を積載した状態を示した正面図である。
【図７】図６に示した梱包体の積層物を中央付近で切断した状態を示す縦断面図である。
【図８】図１に示したタイル搬送用トレイを回収用ボックスに収納した状態を示した斜視図である。
【符号の説明】
【００２７】
１    タイル搬送用トレイ
２    裏面
３    端辺部
４    表面
５    積載保持用凸部
６    積載保持用凸部
７    バンド横断用凹条部
８    面当接部
９    把持用凹部
１０  貫通穴
１１  ラベル貼付部
【図１】
0003101396.tif 000003
【図２】
0003101396.tif 000004
【図３】
0003101396.tif 000005
【図４】
0003101396.tif 000006
【図５】
0003101396.tif 000007
【図６】
0003101396.tif 000008
【図７】
0003101396.tif 000009
【図８】
0003101396.tif 000010